(57)【特許請求の範囲】
【請求項１】
枠体と、
該枠体に納められている框体にパネルが保持された障子と、を備えた建具であって、
前記枠体及び前記框体の一方に設けられ、前記枠体及び前記框体の他方と当接する気密材と、
前記框体における該気密材よりも室外側に設けられた遮断部と、を備え、
前記遮断部は、羽根部を有し、
該羽根部は、前記框体の見込み方向の中間に設けられ、前記枠体側に延び、該枠体側に向かうにしたがって次第に前記室外側に延びるように形成され、
前記羽根部の先端部は、前記枠体と離間して配置され、
前記羽根部の基端部の前記室外側には、円弧状の切り欠きが形成されていることを特徴とする建具。
【発明の詳細な説明】
【技術分野】
【０００１】
本発明は、構造物の開口部に設けられる建具に関するものである。
【背景技術】
【０００２】
一般的に、構造物の開口部に設けられるサッシ（建具）には、雨水の侵入を抑制するために、障子の框の外周部に窓枠と密着するように気密材が設けられている。
【先行技術文献】
【特許文献】
【０００３】
【特許文献１】特開２０１２−１７２４１２号公報
【発明の概要】
【発明が解決しようとする課題】
【０００４】
ここで、上記の特許文献１に記載された建具のような障子の框の外周部に窓枠と密着するように気密材が設けられた構成では、複層ガラスのように建具の見込み寸法が大きくなると、気密材よりも室外側に障子が張り出してくる。このため、障子における気密材よりも室外側の端面が雨水で濡れて、当該箇所に水が溜まり、風等により雨水が室内側に浸入してくる可能性がある。また、寒冷地では、障子の端面に溜まった水が凍結し、建具の開閉動作に支障を与える可能性がある。
【０００５】
そこで、本発明は、上記事情に鑑みてなされたものであり、雨水の障子への付着及び雨水の浸入を抑制することができる建具を提供する。
【課題を解決するための手段】
【０００６】
上記目的を達成するために、本発明は以下の手段を採用している。
すなわち、本発明に係る建具は、枠体と、該枠体に納められている框体にパネルが保持された障子と、を備えた建具であって、前記枠体及び前記框体の一方に設けられ、前記枠体及び前記框体の他方と当接する気密材と、前記框体における該気密材よりも室外側に設けられた遮断部と、を備え、前記遮断部は、羽根部を有し、該羽根部は、前記框体の見込み方向の中間に設けられ、前記枠体側に延び、該枠体側に向かうにしたがって次第に前記室外側に延びるように形成され、前記羽根部の先端部は、前記枠体と離間して配置され、前記羽根部の基端部の前記室外側には、円弧状の切り欠きが形成されていることを特徴とする。
【０００７】
このように構成された建具では、框体に設けられ枠体側に延びる遮断部により、雨水の室内側への浸入が抑制される。雨水は気密材よりも室外側に設けられた遮断部により浸入が抑制されるため、雨水の框体への付着が抑制される。万が一、雨水が遮断部よりも室内側に浸入したとしても、枠体及び框体の一方に設けられ、枠体及び框体の他方と当接する気密材により雨水の浸入が阻止される。よって、雨水の框体への付着及び雨水の浸入を抑制することができる。
また、遮断部の先端部が枠体と離間して配置されているため、障子の開閉の際に、遮断部の先端部が枠体に接触することがない。
また、遮断部が框体側から枠体側に向かうにしたがって室外側に向かうように形成されているため、遮断部の突出方向にわたって、雨水の浸入を抑制することができる。また、遮断部が先端部側（枠体側）を室外側に向けるように傾斜しているため、先端部側では基端部側（框体側）よりも雨水の室内側への浸入が抑制される。
【発明の効果】
【００１２】
本発明に係る建具によれば、屋内側への雨水の浸入を抑制することができる。
【図面の簡単な説明】
【００１３】
【図１】本発明の一実施形態に係る建具の縦断面図である。
【図２】本発明の一実施形態に係る建具の横断面図である。
【図３】本発明の一実施形態に係る建具の遮断部の構成をしめすため縦断面図である。
【発明を実施するための形態】
【００１４】
以下、本発明の建具の一実施形態として、横辷り出し窓を例に挙げて説明する。
図１は、本発明の一実施形態に係る横辷り出し窓の縦断面図である。図２は、本発明の一実施形態に係る横辷り出し窓の横断面図である。
図１及び図２に示すように、横辷り出し窓１は、枠（枠体）１０と、枠１０の内部に開閉可能に納められている障子２と、を備えている。
【００１５】
枠１０は、見付け方向Ｍ１に延在する上枠１０Ａ及び下枠１０Ｂと、上枠１０Ａと下枠１０Ｂとの両端部どうしを連結する縦枠１０Ｃ，１０Ｃと、を有している。上枠１０Ａ、下枠１０Ｂ及び縦枠１０Ｃは、樹脂製の中空構造で形成されている。
【００１６】
上枠１０Ａ、下枠１０Ｂ及び縦枠１０Ｃには、それぞれ障子２と対向する面１０Ａ１，１０Ｂ１，１０Ｃ１に、障子２の後述する上框２０Ａ、下框２０Ｂ及び縦框２０Ｃとそれぞれ密着するように枠側気密材１１が設けられている。これにより、気密性が高められるとともに、風雨の室内側Ｘ２への浸入を阻止される。
【００１７】
障子２は、見付け方向Ｍ１に延在する上框２０Ａ及び下框２０Ｂと、上框２０Ａと下框２０Ｂとの両端部どうしを連結する縦框２０Ｃ，２０Ｃと、上框２０Ａ、下框２０Ｂ、縦框２０Ｃの内側に配置されるガラス（パネル）２１と、を有している。本実施形態では、ガラス２１は、その内部に五層のガラスが配置された複層ガラスとされている。以下の説明において、上框２０Ａ、下框２０Ｂ及び縦框２０Ｃの総称として、框（框体）２０と称することがある。
【００１８】
上框２０Ａ、下框２０Ｂ及び縦框２０Ｃは、樹脂製の中空構造で形成されている。上框２０Ａ、下框２０Ｂ及び縦框２０Ｃの室内側Ｘ２の端部には、ガラス２１側に向かって延び、ガラス２１の端部が支持するガラス支持部３１が設けられている。また、上框２０Ａ、下框２０Ｂ及び縦框２０Ｃの室外側Ｘ１におけるガラス２１に対向する面には、ガラス２１から離間する方向に向かって凹む凹部３２が形成されている。凹部３２には、ガラス２１の端部が支持する押し縁３３が嵌め込まれている。ガラス２１は、ガラス支持部３１と押し縁３３との間で固定されている。
【００１９】
上框２０Ａ、下框２０Ｂ及び縦框２０Ｃには、それぞれ枠１０と対向する面２０Ａ１，２０Ｂ１，２０Ｃ１に、上枠１０Ａ、下枠１０Ｂ及び下枠１０Ｂとそれぞれ密着するように框側気密材（気密材）３６が設けられている。これにより、気密性が高められるとともに、風雨の室内側Ｘ２への浸入を阻止される。
【００２０】
また、上框２０Ａの上端部、下框２０Ｂの下端部及び縦框２０Ｃの側部において、それぞれ上枠１０Ａ、下枠１０Ｂ及び縦枠１０Ｃと対向する壁部２０Ａ２，２０Ｂ２，２０Ｃ２には、パッキン（遮断部）１００が設けられている。パッキン１００は、各框側気密材３６よりも室外側Ｘ１に配置されている。
【００２１】
上框２０Ａの壁部２０Ａ２、下框２０Ｂの壁部２０Ｂ２及び縦框２０Ｃの壁部２０Ｃ２には、それぞれパッキン１００の取付穴４０が各框２０の長手方向に沿って形成されている。
【００２２】
図３は、横滑り出し窓１のパッキン１００の構成を示す断面図である。
図３に示すように、取付穴４０は、各壁部２０Ａ２，２０Ｂ２，２０Ｃ２における外面側に形成された外穴部４１と、外穴部４１と連通して外穴部４１よりも框２０の内部側に形成された内穴部４２とで構成されている。外穴部４１の方が、内穴部４２よりも幅広に形成されている。
【００２３】
この取付穴４０に、各框２０の長手方向に沿って延びるパッキン１００が嵌め込まれている。パッキン１００は、取付穴４０に嵌め込まれた嵌合部１１０と、嵌合部１１０から対向する枠１０側に向かうにしたがって次第に室外側Ｘ１に延びるように形成された羽根部１２０と、を有している。本実施形態では、パッキン１００はシリコン等の弾性変形可能な材料により構成され、嵌合部１１０及び羽根部１２０は一体的に形成されている。
【００２４】
嵌合部１１０は、框２０の外穴部４１に嵌め込まれた外嵌合部１１１と、外嵌合部１１１から框２０の内部側に延び框２０の内穴部４２に嵌め込まれた内嵌合部１１２と、内嵌合部１１２からさらに框２０の内部側に延びる軸部１１３と、軸部１１３の先端部から外嵌合部１１１側に向かって延びる一対の抜け止め片１１４，１１４と、を有している。
【００２５】
外嵌合部１１１の幅は、框２０の外穴部４１の幅よりもわずかに狭く形成されている。内嵌合部１１２の幅は、框２０の内穴部４２の幅よりもわずかに狭く形成されている。
【００２６】
軸部１１３は、内嵌合部１１２側から抜け止め片１１４側に向かうにしたがって次第に細くなるように形成されている。
【００２７】
各抜け止め片１１４は、外嵌合部１１１側に向かうにしたがって次第に軸部１１３から離間するように傾斜している。抜け止め片１１４は、軸部１１３の先端部１１３Ａ側から抜け止め片１１４の先端部１１４Ａ側に向かうにしたがって次第に厚みが薄くなるように形成されている。抜け止め片１１４の先端部１１４Ａは、框２０の壁部２０Ａ２，２０Ｂ２，２０Ｃ２における内穴部４２の周りに当接している。
【００２８】
羽根部１２０は、嵌合部１１０の外嵌合部１１１の室内側Ｘ２から対向する枠１０側に向かうにしたがって次第に室外側Ｘ１に向かうように傾斜している。羽根部１２０は、基端部１２０Ｚ（嵌合部１１０との境界部）側から先端部１２０Ａ側に向かうにしたがって次第に厚みが薄くなるように形成されている。パッキン１００が框２０に装着された通常の状態では、先端部１２０Ａは対向する枠１０と離間して配置されている。これにより、パッキン１００と枠１０と框２０における室内側Ｘ２の部分と各框側気密材３６とで囲まれるように、空間Ｔが形成されている。
【００２９】
羽根部１２０の基端部１２０Ｚの室外側Ｘ１には、円弧状の切り欠き１２１が形成されている。これにより、室外側Ｘ１から室内側Ｘ２に向かって風等の力が作用すると、羽根部１２０は先端部１２０Ａを室内側Ｘ２に向けるように傾斜する（図３の二点鎖線参照）。この際に、羽根部１２０の先端部１２０Ａは対向する枠１０に当接する。
【００３０】
上記のパッキン１００を框２０の取付穴４０に装着する際には、軸部１１３及び抜け止め片１１４を框２０の外穴部４１及び内穴部４２に通過させる。パッキン１００は弾性変形可能な材料で構成されているため、抜け止め片１１４が軸部１１３に沿うように弾性変形する。また、軸部１１３が内嵌合部１１２側から抜け止め片１１４側に向かうにしたがって次第に細くなるように形成されるとともに、抜け止め片１１４が軸部１１３の先端部１１３Ａ側から抜け止め片１１４の先端部１１４Ａ側に向かうにしたがって次第に厚みが薄くなるように形成されているため、内穴部４２を通過しやすい。
【００３１】
軸部１１３及び抜け止め片１１４を框２０の内穴部４２を通過した後には、抜け止め片１１４が外嵌合部１１１側に向かうにしたがって次第に軸部１１３から離間するように元の状態に戻り、パッキン１００が框２０の取付穴４０に装着される。この状態で、抜け止め片１１４の先端部１１４Ａは框２０の壁部２０Ａ２，２０Ｂ２，２０Ｃ２における内穴部４２の周りに当接しているため、パッキン１００が取付穴４０から抜け落ちることがない。
【００３２】
また、枠１０及び框２０の各ホロー部Ｈには、断熱材２００及び断熱材２００を位置決めする位置決め部材２５０が配置されている。
【００３３】
断熱材２００は、配置される枠１０や框２０の延在方向に沿って長尺状に形成されている。本実施形態では、断熱材２００は、フェノールフォーム等の断熱性能の高い樹脂材料により構成されている。
【００３４】
位置決め部材２５０は、長尺状に延びる断熱材２００の両端部に配置されている。本実施形態では、位置決め部材２５０は、スポンジやゴム等の弾性部材により構成され、直方体状に形成されている。
【００３５】
断熱材２００は、ホロー部Ｈの壁部と位置決め部材２５０との間に、弾性部材からなる位置決め部材２５０により押圧されつつ位置決めされている。
【００３６】
このように構成された横辷り出し窓１では、障子２に設けられ枠１０側に延びるパッキン１００により、雨水の室内側Ｘ２への浸入が抑制される。雨水は框側気密材３６よりも室外側Ｘ１に設けられたパッキン１００により浸入が抑制されるため、雨水の障子２への付着が抑制される。万が一、雨水がパッキン１００よりも室内側Ｘ２に浸入したとしても、障子２に設けられ枠１０と当接する框側気密材３６及び枠１０に設けられ障子２と当接する枠側気密材１１により雨水の浸入が阻止される。よって、雨水の障子２への付着及び雨水の浸入を抑制することができる。
【００３７】
また、パッキン１００が障子２側から枠１０側に向かうにしたがって室外側Ｘ１に向かうように形成されているため、パッキン１００の突出方向（羽根部１２０の基端部１２０Ｚから先端部１２０Ａ側）にわたって、雨水の浸入を抑制することができる。また、パッキン１００が先端部１２０Ａ側を室外側Ｘ１に向けるように傾斜しているため、先端部１２０Ａ側では基端部１２０Ｚ側よりも雨水の室内側Ｘ２への浸入が抑制される。
【００３８】
また、パッキン１００の先端部１２０Ａが枠１０と離間して配置されているため、障子２の開閉の際に、パッキン１００の先端部１２０Ａが枠１０に接触することがない。
【００３９】
また、パッキン１００と枠１０と框２０における室内側Ｘ２の部分と各框側気密材３６とで囲まれた空間Ｔは、パッキン１００と枠１０との距離が２ｍｍ以下である場合には半密閉空間にして扱われ、空気層と同等の断熱効果を有する。
【００４０】
また、羽根部１２０の基端部１２０Ｚの室外側Ｘ１には、円弧状の切り欠き１２１が形成されているため、室外側Ｘ１から室内側Ｘ２に向かって風等の力が作用すると、羽根部１２０は先端部１２０Ａを室内側Ｘ２に向けるように傾斜しやすく、羽根部１２０の先端部１２０Ａが対向する枠１０に当接する。よって、雨水の室内側Ｘ２への侵入が確実に防止される。
【００４１】
なお、上述した実施の形態において示した各構成部材の諸形状や組み合わせ等は一例であって、本発明の主旨から逸脱しない範囲において設計要求等に基づき種々変更可能である。
【００４２】
例えば、上記に示す実施形態において、パッキン１００は、上框２０Ａ、下框２０Ｂ及び縦框２０Ｃのそれぞれに設けられているが、本発明はこれに限られず、上框２０Ａ、下框２０Ｂ及び縦框２０Ｃのうち所望の部分にのみ設けられていてもよい。
【００４３】
また、上記に示す実施形態において、框２０には框側気密材３６が設けられるとともに枠１０には枠側気密材１１が設けられ、パッキン１００は框側気密材３６及び枠側気密材１１よりも室外側Ｘ１に配置されているが、本発明はこれに限られない。気密材が框２０側及び枠１０のいずれか一方にのみ設けられ、パッキンが気密材よりも室外側Ｘ１に設けられていればよい。
【００４４】
また、上記に示す実施形態において、横辷り出し窓１を例に挙げてについて説明したが、本発明はこれに限られず、他の窓の建具について適用可能である。
【符号の説明】
【００４５】
１…横辷り出し窓（建具）
２…障子
１０…枠（枠体）
１０Ａ…上枠
１０Ｂ…下枠
１０Ｃ…縦枠
１１…枠側気密材
２０…框（框体）
２０Ａ…上框
２０Ｂ…下框
２０Ｃ…縦框
２１…ガラス（パネル）
３３…押し縁
３６…框側気密材（気密材）
４０…取付穴
１００…パッキン（遮断部）
１１０…嵌合部
１２０…羽根部
２００…断熱材
２５０…位置決め部材
Ｈ…ホロー部
Ｍ１…見付け方向
Ｍ２…見込み方向
Ｓ１，Ｓ２…排水空間
Ｘ１…室外側
Ｘ２…室内側
【図１】
0006775931.tif 000002
【図２】
0006775931.tif 000003
【図３】
0006775931.tif 000004